(57)【要約】【課題】  カードリーダを保持するカードリーダホルダをオプションパーツとして、画像形成装置に容易に装着可能とする。【解決手段】  カートリーダが載置される載置面１１Ａを有する載置プレート１１、並びに載置プレート１１と直交する方向に延びる壁部を構成する支持壁部１２であって載置プレート１１が一体化された支持壁部１２を有するホルダ本体１０Ａと、支持壁部１２のうち載置プレート１１と反対側に設けられた接着壁面１２Ａに貼付された両面テープ１３であって、ホルダ本体１０Ａを画像形成装置に装着するための両面テープ１３とを備え、両面テープ１３は、接着壁面１２Ａのうち支持壁部１２の延び方向中間位置より載置面１１Ａ側に設けられた貼付領域１２Ｂのみに貼付されている。【選択図】  図３
2017007181.tif 000002
【特許請求の範囲】
【請求項１】
カードリーダを保持するとともに、画像形成装置に装着されるカードリーダホルダにおいて、
カートリーダが載置される載置面を有する載置プレート、並びに前記載置プレートと直交する方向に延びる壁部を構成する支持壁部であって前記載置プレートが一体化された支持壁部を有するホルダ本体と、
前記支持壁部のうち前記載置プレートと反対側に設けられた接着壁面に貼付された両面テープであって、前記ホルダ本体を前記画像形成装置に装着するための両面テープとを備え、
前記両面テープは、前記接着壁面のうち前記支持壁部の延び方向中間位置より前記載置面側に設けられた貼付領域のみに貼付されていることを特徴とするカードリーダホルダ。
【請求項２】
前記載置プレートの外縁部には、前記載置面から突出して当該外縁部を囲む縁壁部が設けられており、
前記接着壁面は、前記縁壁部の外周面より外側にずれていることを特徴とする請求項１に記載のカードリーダホルダ。
【請求項３】
前記接着壁面のうち少なくとも前記両面テープが貼付された部位の面粗度は、前記載置面の面粗度より小さいことを特徴とする請求項１又は２に記載のカードリーダホルダ。
【請求項４】
前記支持壁部のうち前記載置プレート側には、突条状の補強部が設けられていることを特徴とする請求項１ないし３のいずれか１項に記載のカードリーダホルダ。
【請求項５】
前記支持壁部の延び方向と直交するとともに、前記接着壁面と平行な方向を幅方向としたとき、
前記支持壁部の幅方向中央は、前記載置プレートの幅方向中央より幅方向一端側にずれていることを特徴とする請求項１ないし４のいずれか１項に記載のカードリーダホルダ。
【請求項６】
前記縁壁部には、当該縁壁部内側から外側まで貫通する溝部であって、カードリーダに設けられたコードが嵌り込むことが可能な溝部が設けられていることを特徴とする請求項２に記載のカードリーダホルダ。
【請求項７】
前記両面テープの少なくとも一部は、前記貼付領域のうち前記載置プレートより前記載置面と同一側の領域に位置することを特徴とする請求項１ないし６のいずれか１項に記載のカードリーダホルダ。
【請求項８】
前記接着壁面の延び方向において、前記接着壁面のうち前記載置プレートより前記載置面と同一側の寸法は、前記接着壁面のうち前記載置プレートより前記載置面と反対側の寸法より小さいことを特徴とする請求項１ないし７のいずれか１項に記載のカードリーダホルダ。
【請求項９】
シートに画像を形成する画像形成部と、
前記画像形成部を収納する筐体と、
前記筐体の側面に前記両面テープを介して取り付けられた請求項１ないし８のいずれか１項に記載のカードリーダホルダと
を備えることを特徴とする画像形成装置。
【請求項１０】
前記筐体の鉛直方向上面側に設けられ、画像が形成されたシートが載置される排紙トレイと、
前記排紙トレイに排出されるシートの排出方向と直交する方向のうち水平方向と平行な方向を第２の幅方向としたとき、前記筐体のうち前記排紙トレイの第２の幅方向一端側に設けられ、情報を表示する表示部を備え、
前記カードリーダホルダは、前記筐体のうち前記表示部側の側面に取り付けられていることを特徴とする請求項９に記載の画像形成装置。
【発明の詳細な説明】
【技術分野】
【０００１】
本発明は、画像形成装置用のカードリーダホルダ、及び当該カードリーダホルダが取り付けられた画像形成装置に関する。
【背景技術】
【０００２】
例えば、特許文献１には、近距離無線通信（ N F C : N e a r F i e l d C o m m u n i c a t i on）を用いた非接触通信用のモジュールが記載されている。
【先行技術文献】
【特許文献】
【０００３】
【特許文献１】特開２００５−２５２６１２号公報
【発明の概要】
【発明が解決しようとする課題】
【０００４】
印刷物や画像形成装置に対するセキュリティーの向上等の観点から、近年、カードリーダの利用を要望する利用者が増加している。
本発明は、上記点に鑑み、カードリーダを保持するカードリーダホルダをオプションパーツとして、画像形成装置に容易に装着可能とすることを目的とする。
【課題を解決するための手段】
【０００５】
本願では、カートリーダが載置される載置面（１１Ａ）を有する載置プレート（１１）、並びに載置プレート（１１）と直交する方向に延びる壁部を構成する支持壁部（１２）であって載置プレート（１１）が一体化された支持壁部（１２）を有するホルダ本体（１０Ａ）と、支持壁部（１２）のうち載置プレート（１１）と反対側に設けられた接着壁面（１２Ａ）に貼付された両面テープ（１３）であって、ホルダ本体（１０Ａ）を画像形成装置（１）に装着するための両面テープ（１３）とを備え、両面テープ（１３）は、接着壁面（１２Ａ）のうち支持壁部（１２）の延び方向中間位置より載置面（１１Ａ）側に設けられた貼付領域（１２Ｂ）のみに貼付されている。
【０００６】
これにより、本願発明に係るカードリーダホルダ（１０）が画像形成装置に取り付けられた状態では、貼付領域（１２Ｂ）は、支持壁部（１２）の延び方向中間位置より鉛直方向上方に位置する。
【０００７】
つまり、カードリーダホルダ（１０）が画像形成装置に取り付けられた状態では、支持壁部（１２）の延び方向中間位置より載置面（１１Ａ）側とは、延び方向中間位置より鉛直方向上方側となる。
【０００８】
そして、画像形成装置に取り付けられたカードリーダホルダ（１０）に対して鉛直方向下向きの荷重が作用した場合には、支持壁部（１２）の下端を中心として接着壁面（１２Ａ）が画像形成装置から離間する向きのモーメント（以下、下向きモーメントという。）がカードリーダホルダに作用する。
【０００９】
このとき、両面テープ（１３）は、支持壁部（１２）の延び方向中間位置より鉛直方向上方に位置している。このため、両面テープ（１３）は、下向きモーメントの回転中心から離れた箇所で当該下向きモーメントに対抗するモーメント（以下、下向き対抗モーメントという。）を発揮する。
【００１０】
また、画像形成装置に取り付けられたカードリーダホルダ（１０）に対して鉛直方向上向きの荷重が作用した場合には、支持壁部（１２）の上端を中心として接着壁面（１２Ａ）が画像形成装置から離間する向きのモーメント（以下、上向きモーメントという。）がカードリーダホルダに作用する。
【００１１】
このとき、両面テープ（１３）は、支持壁部（１２）の延び方向中間位置より鉛直方向上方に位置している。このため、両面テープ（１３）は、上向きモーメントの回転中心から近い箇所で当該上向きモーメントに対抗するモーメント（以下、上向き対抗モーメントという。）を発揮する。
【００１２】
したがって、下向き対抗モーメントは上向き対抗モーメントより大きくなる。つまり、鉛直方向下向きの荷重がカードリーダホルダ（１０）に作用した場合には、比較的大きな荷重が作用してもカードリーダホルダ（１０）が画像形成装置から外れてしまうことを抑制できる。
【００１３】
一方、利用者がカードリーダホルダ（１０）を把持して画像形成装置を上方側に持ち上げようとした場合等、鉛直方向上向きの荷重がカードリーダホルダ（１０）に作用した場合には、比較的小さな荷重でカードリーダホルダ（１０）が画像形成装置から外れてしまう。
【００１４】
したがって、利用者がカードリーダホルダ（１０）を把持して画像形成装置を上方側に持ち上げてしまうことを未然に抑止でき得る。以上により、カードリーダを保持するカードリーダホルダをオプションパーツとして、画像形成装置に容易に装着することが可能となる。
【００１５】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１６】
【図１】カードリーダホルダ１０が画像形成装置１に装着された状態を示す図である。
【図２】カードリーダホルダ１０を画像形成装置１に装着する状態を示す図である。
【図３】カードリーダホルダ１０の外観斜視図である。
【図４】Ａはカードリーダホルダ１０の前面図である。Ｂは図４ＡのＣ部拡大図である。
【図５】図４ＡのＤ−Ｄ断面図である。
【図６】カードリーダホルダ１０の左側面図である。
【発明を実施するための形態】
【００１７】
以下に説明する「発明の実施形態」は実施形態の一例を示すものである。つまり、特許請求の範囲に記載された発明特定事項等は、下記の実施形態に示された具体的手段や構造等に限定されるものではない。
【００１８】
本実施形態は、図１に示すように、小型プリンタ等の画像形成装置１に装着されるカードリーダホルダ１０に本発明を適用したものである。各図に付された方向を示す矢印等は、各図相互の関係を理解し易くするために記載したものである。
【００１９】
本発明は、各図に付された方向に限定されるものではない。少なくとも符号を付して説明した部材又は部位は、「複数」や「２つ以上」等の断りをした場合を除き、少なくとも１つ設けられている。
【００２０】
以下、本発明の実施形態を図面と共に説明する。
（第１実施形態）
１．カードリーダホルダの取付位置
画像形成装置１は、図１に示すように、筐体３及び画像形成部５等を有して構成されている。筐体３は画像形成部５を収納する。画像形成部５はシートに画像を形成する。なお、当該画像形成部５は電子写真方式である。
【００２１】
筐体３の鉛直方向上面側には排紙トレイ７が設けられている。排紙トレイ７は画像が形成されたシートが載置される。筐体３のうち排紙トレイ７の幅方向一端側（本実施形態では左側）に表示部９が設けられている。
【００２２】
排紙トレイ７の「幅方向」とは、排紙トレイ７に排出されるシートの排出方向と直交する方向のうち水平方向と平行な方向いう。表示部９は利用者に対して各種の情報を表示する。そして、カードリーダホルダ１０は、筐体３の側面のうち表示部９側の側面に取り付けられている。
【００２３】
２．カードリーダホルダの構成
カードリーダホルダ１０は、図１に示すように、カードリーダＣＲを保持する部材である。換言すれば、カードリーダＣＲは、図２に示すように、カードリーダホルダ１０に組み付けられて当該カードリーダホルダ１０を介して画像形成装置１（筐体３）に組み付けられる。
【００２４】
カードリーダホルダ１０は、図３に示すように、載置プレート１１、支持壁部１２及び両面テープ１３等を有して構成される。なお、図３に示す上下方向等を示す矢印は、カードリーダホルダ１０が画像形成装置１に装着された状態における方向を示す。以下、上下方向等の方向は、図３に示す状態に基づく方向をいう。
【００２５】
載置プレート１１はカートリーダが載置される載置面１１Ａを有する板状の部位である。載置面１１Ａは、カードリーダホルダ１０が画像形成装置１に装着された状態では、鉛直方向上方側に面した面となる。
【００２６】
支持壁部１２は、載置プレート１１（載置面１１Ａ）と直交する方向に延びる壁部を構成する部位である。支持壁部１２と載置プレート１１とは一体化されてホルダ本体１０Ａを構成している。
【００２７】
本実施形態に係る載置プレート１１（載置面１１Ａ）は、カードリーダＣＲの底部形状略相似な形状（例えば、矩形状）である。載置プレート１１の外縁部には縁壁部１１Ｂが設けられている。
【００２８】
縁壁部１１Ｂは、載置面１１Ａから鉛直方向上方側に突出して外縁部の周囲を囲む壁状の部位である。載置プレート１１、支持壁部１２及び縁壁部１１Ｂは、ＡＢＳ等の樹脂にて一体成形されて一体化されている。
【００２９】
両面テープ１３は、ホルダ本体１０Ａを画像形成装置１に装着するための接着固定具をなす。当該両面テープ１３は、図４Ａ及び４Ｂに示すように、支持壁部１２に設けられた接着壁面１２Ａに貼付されている。
【００３０】
接着壁面１２Ａは、支持壁部１２のうち載置プレート１１と反対側の面をいう。換言すれば、接着壁面１２Ａは、支持壁部１２のうち、ホルダ本体１０Ａ（カードリーダホルダ１０）が画像形成装置１に装着されたときに筐体３と対向する面をいう。
【００３１】
具体的には、図３に示すように、両面テープ１３は貼付領域１２Ｂのみに貼付されている、貼付領域１２Ｂとは、接着壁面１２Ａのうち支持壁部１２の延び方向中間位置より載置面１１Ａ側に設けられた領域をいう。
【００３２】
本実施形態に係る「支持壁部１２の延び方向」は、カードリーダホルダ１０が画像形成装置１に装着された状態時の上下（鉛直）方向と一致する。このため、「延び方向中間位置より載置面１１Ａ側」とは、カードリーダホルダ１０が画像形成装置１に装着された状態時では「延び方向中間位置より鉛直方向上側」となる。
【００３３】
本実施形態では、両面テープ１３の一部は、貼付領域１２Ｂのうち載置プレート１１より載置面１１Ａと同一側の領域、つまり載置プレート１１より鉛直方向上側の領域に位置している。
【００３４】
具体的には、両面テープ１３の上端位置は、接着壁面１２Ａの上端位置にほぼ一致している。両面テープ１３の下端位置は、載置面１１Ａより鉛直方向下方側に位置している。このため、両面テープ１３が貼付されている部位の多くは、縁壁部１１Ｂに相当する部位となる。
【００３５】
接着壁面１２Ａのうち少なくとも両面テープ１３が貼付された部位の面粗度は、載置面１１Ａの面粗度より小さい。具体的には、両面テープ１３が貼付された部位の面粗度はＲａ＜３．２である。載置面１１Ａの面粗度はＲａ≧３．２である。実際には、載置面１１Ａはシボ加工が施されたシボ面となっている。
【００３６】
接着壁面１２Ａは、図４Ｂに示すように、縁壁部１１Ｂの外周面１１Ｃより外側にずれている。つまり、カードリーダホルダ１０が画像形成装置１（筐体３）の側面に装着された状態では、縁壁部１１Ｂの外周面１１Ｃは、当該側面から離間した状態となる。
【００３７】
図３に示すように、接着壁面１２Ａのうち寸法Ｈ１は寸法Ｈ２より小さい寸法となっている。寸法Ｈ１は、接着壁面１２Ａの延び方向において載置面１１Ａと同一側の寸法、つまり接着壁面１２Ａのうち載置面１１Ａより鉛直方向上側の寸法である。
【００３８】
寸法Ｈ２は、接着壁面１２Ａの延び方向において載置面１１Ａと反対側の寸法、つまり接着壁面１２Ａのうち載置面１１Ａより鉛直方向下側の寸法である。このため、本実施形態では、縁壁部１１Ｂの高さ寸法Ｈ３は、接着壁面１２Ａの延び方向寸法の１／２より小さい寸法となる。
【００３９】
支持壁部１２は、図５に示すように、少なくとも１つの補強部１２Ｃ及び帯板部１２Ｄ等を有している。帯板部１２Ｄは、上記「延び方向」に延びる帯板状の部位である。当該帯板部１２Ｄの一方の面が接着壁面１２Ａ（貼付領域１２Ｂ）として機能する。
【００４０】
補強部１２Ｃは、帯板部１２Ｄの一方の面、つまり支持壁部１２のうち載置プレート１１側が設けられている。当該補強部１２Ｃは、帯板部１２Ｄの一方の面から突出した突条状の壁部である。
【００４１】
なお、本実施形態では、補強部１２Ｃは、帯板部１２Ｄの幅方向（図５に示す前後方向）両端側に設けられている。そして、支持壁部１２は、上記「一方の面」側が開放されたコの字（Ｃ状）の断面形状を有する。当該断面とは、支持壁部１２の延び方向と直交する断面をいう。一対の補強部１２Ｃ及び帯板部１２Ｄは樹脂にて一体成形されている。
【００４２】
図６に示すように、支持壁部１２の幅方向中央Ｌ１は、載置プレート１１の幅方向中央Ｌ２より幅方向一端側にずれている。支持壁部１２の幅方向中央Ｌ１とは、支持壁部１２のうち、支持壁部１２の延び方向と直交するとともに接着壁面１２Ａと平行な方向（以下、前後方向ともいう。）における中央をいう。載置プレート１１の幅方向中央Ｌ２とは、載置プレート１１のうち前後方向中央をいう。
【００４３】
つまり、支持壁部１２は、載置プレート１１に対して前後方向に偏った位置に設けられている。したがって、カードリーダホルダ１０が画像形成装置１に装着された状態においては、支持壁部１２は、載置プレート１１に対して後方側に偏った部位に位置する。
【００４４】
縁壁部１１Ｂには、図３に示すように、当該縁壁部１１Ｂ内側から外側まで貫通する溝部１１Ｄが少なくとも１つ設けられている。溝部１１Ｄは、カードリーダに設けられたコード（図示せず。）が嵌り込むことが可能な溝である。
【００４５】
本実施形態では、溝部１１Ｄは前後方向両端側それぞれに設けられている。それら溝部１１Ｄは、縁壁部１１Ｂの上端から載置面１１Ａ側（鉛直方向下方側）に向けて窪んだ凹部にて構成されている。
【００４６】
３．本実施形態に係るカードリーダホルダの特徴
本実施形態に係るカードリーダホルダ１０が画像形成装置１に取り付けられた状態では、貼付領域１２Ｂは、支持壁部１２の延び方向中間位置より鉛直方向上方に位置する。
【００４７】
つまり、カードリーダホルダ１０が画像形成装置に取り付けられた状態では、支持壁部１２の延び方向中間位置より載置面１１Ａ側とは、延び方向中間位置より鉛直方向上方側となる。
【００４８】
そして、画像形成装置１に取り付けられたカードリーダホルダ１０に対して鉛直方向下向きの荷重が作用した場合には、支持壁部１２の下端を中心として接着壁面１２Ａが画像形成装置から離間する向きのモーメント（下向きモーメント）がカードリーダホルダ１０に作用する。
【００４９】
このとき、両面テープ１３は、支持壁部１２の延び方向中間位置より鉛直方向上方に位置している。このため、両面テープ１３は、下向きモーメントの回転中心から離れた箇所で当該下向きモーメントに対抗するモーメント（下向き対抗モーメント）を発揮する。
【００５０】
また、画像形成装置１に取り付けられたカードリーダホルダ１０に対して鉛直方向上向きの荷重が作用した場合には、支持壁部１２の上端を中心として接着壁面１２Ａが画像形成装置から離間する向きのモーメント（上向きモーメント）がカードリーダホルダに作用する。
【００５１】
このとき、両面テープ１３は、支持壁部１２の延び方向中間位置より鉛直方向上方に位置している。このため、両面テープ１３は、上向きモーメントの回転中心から近い箇所で当該上向きモーメントに対抗するモーメント（上向き対抗モーメント）を発揮する。
【００５２】
したがって、下向き対抗モーメントは上向き対抗モーメントより大きくなる。つまり、鉛直方向下向きの荷重がカードリーダホルダ１０に作用した場合には、比較的大きな荷重が作用してもカードリーダホルダ１０が画像形成装置１から外れてしまうことを抑制できる。
【００５３】
一方、利用者がカードリーダホルダ１０を把持して画像形成装置１を上方側に持ち上げようとした場合等、鉛直方向上向きの荷重がカードリーダホルダ１０に作用した場合には、比較的小さな荷重でカードリーダホルダ１０が画像形成装置１から外れてしまう。
【００５４】
したがって、利用者がカードリーダホルダ１０を把持して画像形成装置１を上方側に持ち上げてしまうことを未然に抑止でき得る。以上により、カードリーダを保持するカードリーダホルダをオプションパーツとして、画像形成装置１に容易に装着することが可能となる。
【００５５】
本実施形態では、接着壁面１２Ａは、縁壁部１１Ｂの外周面１１Ｃより外側にずれている。これにより、画像形成装置１の開閉カバー３Ａ（図１参照）等の開閉時に、当該開閉カバー３Ａ等と縁壁部１１Ｂ等とが擦れてしまうことを抑制できる。
【００５６】
本実施形態では、接着壁面１２Ａのうち少なくとも両面テープ１３が貼付された部位の面粗度は、載置面１１Ａの面粗度より小さい。これにより、貼付された両面テープ１３が剥がれ難くなる。
【００５７】
本実施形態では、支持壁部１２のうち載置プレート１１側には、突条状の補強部１２Ｃが設けられている。これにより、ホルダ本体１０Ａに荷重が作用した場合に、ホルダ本体１０Ａが大きく変形することを抑制できる。
【００５８】
本実施形態では、支持壁部１２の幅方向中央Ｌ１は、載置プレート１１の幅方向中央Ｌ２より幅方向一端側にずれている。これにより、画像形成装置１の開閉カバー３Ａ等の開閉時にホルダ本体１０Ａと当該開閉カバー３Ａ等とが干渉してしまうことを抑制できる。
【００５９】
（その他の実施形態）
上述の実施形態では、接着壁面１２Ａが縁壁部１１Ｂの外周面１１Ｃより外側にずれていたが、本発明はこれに限定されるものではなく、例えば、接着壁面１２Ａと外周面１１Ｃとが一致していてもよい。
【００６０】
上述の実施形態では、両面テープ１３が貼付された部位の面粗度は、載置面１１Ａの面粗度より小さかったが、本発明はこれに限定されるものではなく、例えば、両面テープ１３が貼付された部位の面粗度と載置面１１Ａの面粗度とを同一としてもよい。
【００６１】
上述の実施形態では、支持壁部１２に一対の補強部１２Ｃが設けられていたが、本発明はこれに限定されるものではなく、例えば、補強部１２Ｃを１つとする、又は補強部１２Ｃを廃止する等としてもよい。
【００６２】
上述の実施形態では、支持壁部１２が載置プレート１１に対して後方側に偏った位置に設けられていたが、本発明はこれに限定されるものではなく、例えば、支持壁部１２を載置プレート１１の前後方向中央に配置してもよい。
【００６３】
上述の実施形態では、両面テープ１３が貼付領域１２Ｂのうち載置プレート１１より載置面１１Ａと同一側の領域、つまり載置プレート１１より鉛直方向上側に位置していたが、本発明はこれに限定されるものではなく、例えば、載置プレート１１を跨ぐような位置に両面テープ１３を貼付してもよい。
【００６４】
上述の実施形態では、カードリーダホルダ１０を筐体３の側面のうち表示部９側に装着したが、本発明はこれに限定されるものではなく、例えば、筐体３の側面のうち表示部９と反対側、又は筐体３の後方側側面に装着してもよい。
【符号の説明】
【００６５】
１… 画像形成装置  ３… 筐体  ３Ａ… 開閉カバー
５… 画像形成部  ７… 排紙トレイ  ９… 表示部
１０… カードリーダホルダ  １０Ａ… ホルダ本体
１１… 載置プレート  １１Ａ… 載置面  １１Ｂ… 縁壁部
１１Ｃ… 外周面  １１Ｄ… 溝部  １２… 支持壁部
１２Ａ… 接着壁面  １２Ｂ… 貼付領域  １２Ｃ… 補強部
１２Ｄ… 帯板部  １３… 両面テープ  ＣＲ… カードリーダ
【図３】
2017007181.tif 000003
【図４】
2017007181.tif 000004
【図６】
2017007181.tif 000005
【図１】
2017007181.tif 000006
【図２】
2017007181.tif 000007
【図５】
2017007181.tif 000008